(57)【要約】【課題】  従来の方式では、タンクをロータリーキルンよりかなり高い位置に据えなければならず、高い位置への処理品投入は、バケットコンベアを用いたり費用が掛かると同時に、場所を多く使うことになる。又定量器からロータリーキルンへの移送もスクリューフィーダーなどの費用が必要となる。【解決手段】  そこで本発明では、円筒横置き型タンクの中心部にロータリーキルンの投入部が少し入る状態に据え付け、そのタンクの天上部に投入口を設ける。  ロータリーキルンの入口先端に中心に穴の開いた仕切り板を取り付け、その仕切り板に複数本の汲み上げスプーンを取り付ける。【選択図】  図１
2005156129.tif 000002
【特許請求の範囲】
【請求項１】
タンク２の垂直壁に周知のロータリーキルン１の投入側先端を差込み設置し、その先端に汲み上げスプーン８を取り付け、タンク２のロータリーキルン１の反対側の壁に、先端に天井、底板のない定量ボックス７を構成した回転しない構造の前後スライド自由なる摺動体５を設置する。ロータリーキルン１は図２の矢印方向へ回転するものとし、その矢印方向へ回転させると、処理品１０は汲み上げスプーン８で汲み上げられ、定量ボックス７の中へ入り、摺動体５がロータリーキルン１内へ移動する事により、処理品１０がロータリーキルン１の中に落ち込む構造のロータリーキルンの処理品定量投入システム。
【請求項２】
ロータリーキルン１をタンク２内で延長し、そのキルン延長部１６の周囲に攪拌フィン１５を設け、ロータリーキルン１の回転により、処理品１０が汲み上げスプーン８方向へ移動する構造の「請求項１」に記載のロータリーキルンの処理品定量投入システム。
【発明の詳細な説明】
【発明の詳細な説明】
【技術分野】
【０００１】  本発明は、ロータリーキルンへ粉体である処理品を一定時間内に定量的に投入するシステムに関するものである。
【背景技術】
【０００２】  従来のロータリーキルンへの処理品投入は、キルンの上部に据えたタンクに処理品を貯蔵し、定量器を介しスクリューフィーダーなどでロータリーキルンへ送りこむ方式である。
【発明の解決しようとする課題】
【０００３】  従来の方式では、タンクをロータリーキルンよりかなり高い位置に据えなければならず、高い位置への処理品投入は、バケットコンベアを用いたり費用が掛かると同時に、場所を多く使うことになる。又定量器からロータリーキルンへの移送もスクリューフィーダーなどの費用が必要となる。  又タンクからロータリーキルンまでに定量器やスクリューフィーダー、コンベアパイプなどを処理品は通るので、目詰まりなどのトラブルが非常に多い。
【課題を解決するための手段】
【０００４】  そこで本発明では、円筒横置き型タンクの中心部にロータリーキルンの投入部が少し入る状態に据え付け、そのタンクの天上部に投入口を設ける。
【０００５】  ロータリーキルンの入口先端に中心に穴の開いた仕切り板を取り付け、その仕切り板に複数本の汲み上げスプーンを取り付ける。
【０００６】  ロータリーキルンの入っているタンクの反対側の壁の中心部に、上部に投入口の開いたパイプ状のガイドパイプを設け、その中に、先端に処理品の入る定量ボックスのある、回転防止機構がついた摺動体を設置し、シリンダーと連結する。
【０００７】  尚ロータリーキルンをタンク内に延長し、その周囲に複数本の攪拌フィンを設けると処理品が汲み上げスプーンの方向へ流れやすくなる。
【発明を実施するための最良の形態】
【０００８】  発明の実施の形態を図面に基づいて説明する。  図１、図２、図３、図４において、横置き円筒型のタンク２の垂直壁に円形の穴を開け、そこに中心に円形穴の開いた仕切り壁１１を設けた、周知のロータリーキルン１の投入側先端を差込み設置する。【０００９】  タンク２内にロータリーキルン１を延長し、その延長部の周囲に複数個の開口部１４を開け、その開口部１４を通し、ロータリーキルン１に複数本の汲み上げスプーン８を取り付ける。【００１０】  キルン延長部１６の周囲に汲み上げスプーン８以降に、複数本の攪拌フィン１５を設ける。【００１１】  タンク２のロータリーキルン１と反対側の壁に円形穴を開け、そこに先端上部に投入口１３が開いた円筒状のガイドパイプ６を設け、その中に先端に縦に取り付けられた保持プレート１９を介し円盤状の板を擁し、定量ボックス７を構成した摺動体５を挿入し、その摺動体５は回転防止プレート１７とスライド溝１８により回転しない構造になっている。摺動体５の後方にシリンダー９を取り付け、前後スライド自由なる構造とする。【００１２】  タンク２の上部に投入口３を設けフタ４を取り付けている。【００１３】  ロータリーキルン１とタンク２は処理品１０がこぼれないようにパッキン１２をにてシールされている。【００１４】  ロータリーキルン１は図２の矢印方向へ回転するものとする。【００１５】  タンク２に処理品１０をロータリーキルン１の差込み口より少し低い位置まで貯蔵し、図２の矢印方向へ回転させると、処理品１０は汲み上げスプーン８で汲み上げられ、投入穴１３より定量ボックス７の中へ入り、溢れる状態となり、摺動体５がガイドパイプ６の中をシリンダー９にてロータリーキルン１方向へ移動する事により、処理品１０もロータリーキルン１の中へ移動しその中に落ち込む。【００１６】  溢れた処理品１０はガイドパイプ６先端の円盤２０にて摺切りされ、定量ボックス７の容積一杯となる。【００１７】  定量ボックス７の容量は決まっているので、シリンダー９の往復を、単位時間での回数をセットすれば処理品１０の時間当りの投入量は設定される。【００１８】  図５、図６は図１のガイドパイプ６の代りに平坦なる底板２２を用い、摺動体５を丸型から四角形とし、定量ボックス７もＴ型から天井、底板のない四角形とし、溢れた処理品の摺切りをする門型の規制板２１を設けているもので、簡易にしたものである。【００１９】  シリンダー９はエアーシリンダ−、オイルシリンダー、モートルシリンダーどれを選んでも良い。【００２０】  ロータリーキルン１の回転数と投入量により、汲み上げスプーン８の本数を多目にしておけば良い。多すぎれば定量ボックス７から溢れるだけである。【００２１】  タンク２が長い場合、攪拌フィン１５により処理品１０は上面が水平となり汲み上げスプーン８方向へ流れる。又ロータリーキルン１は排出側へ傾斜して据え付けるものであるから、処理品１０は汲み上げスプーン８側へ流れていく。【００２２】  キルン延長部１６内に落ちた処理品１０は開口部１４より再びタンク２へ落ちる。【００２３】  モートルシリンダーのように回転しない構造のものであれば回転防止プレートｌ７、スライド溝１８は不要である。【００２４】  摺動体５の先端にＴ字型の保持プレートｌ９を縦に取り付け定量ボックス７を構成しているが、流れの良い性状の処理品１０であれば上、下のない箱体でも良い。
【発明の効果】
【００２５】  本発明は以上のように構成されているので、ロータリーキルン１の回転を利用し、単純な構造で安価に場所を取らずに設置出来るロータリーキルンの処理品定量投入システムが完成する。
【００２６】  又図１のようにロータリーキルン１の先端を絞れば、どんな大きなロータリーキルンでもタンク２の処理品１０の容積効率はたかいものとなる。
【００２７】  又ロータリーキルン１とタンク２とのシールがしやすいので，雰囲気処理にも最適である。
【００２８】  ロータリーキルン１とタンク２が直結しているので、連結するダクトやスクリューフィーダーなどが不用となる。又従来は雰囲気処理には途中密閉性の良いロータリーバルブが必要であるがこの発明ではそれを必要としない。
【図面の簡単な説明】
【図１】「ロータリーキルンの処理品定量投入システム」の側面断面図である。
【図２】図１のＡ−Ａを表わす正面断面図である。
【図３】図１のＢ−Ｂを表わす拡大した平面断面図である。
【図４】図１のＣ−Ｃを表わす正面断面図である。
【図５】「ロータリーキルンの処理品定量投入システム」の簡易型の側面断面図である。
【図６】図５のＤ−Ｄを表わす拡大した正面断面図である。
【符号の説明】
１    ロータリーキルン２    タンク３    投入口４    フタ５    摺動体６    ガイドパイプ７    定量ボックス８    汲み上げスプーン９    シリンダー１０  処理品１１  仕切り壁１２  パッキン１３  投入穴１４  開口部１５  攪拌フィン１６  キルン延長部１７  回転防止プレート１８  スライド溝１９  保持プレート２０  円盤２１  規制板２２  底板
【図１】
2005156129.tif 000003
【図２】
2005156129.tif 000004
【図３】
2005156129.tif 000005
【図４】
2005156129.tif 000006
【図５】
2005156129.tif 000007
【図６】
2005156129.tif 000008